(57)【要約】      （修正有）【課題】用途や設置位置に応じて多様な形態に変形できる金融機器を提供する。【解決手段】一側面による金融機器１は、媒体が収納される媒体収納空間を備える媒体入出モジュール２０と、媒体を鑑別するための鑑別モジュール２５と、媒体を一時保管するための一時保管モジュール２７と、媒体収納空間に投入された入金のための媒体及び出金のための媒体の一つ以上を保管できる媒体保管部５０と、媒体保管部へと媒体を案内または媒体保管部から放出された媒体を案内するための移送モジュール３１、３３、３７、４１とを含み、移送モジュールの一部を変更また代替することで、媒体保管部に媒体を補充するための補充機能、及び媒体保管部から媒体を回収するための回収機能の一つ以上の機能を行うことができる付加機能モジュール３０を、設置または除去することができる。【選択図】図１
2016207218.tif 000002
【特許請求の範囲】
【請求項１】
媒体が収納される媒体収納空間を備える媒体入出モジュールと、
前記媒体を鑑別するための鑑別モジュールと、
前記媒体を一時保管するための一時保管モジュールと、
前記媒体収納空間に投入された入金のための媒体及び出金のための媒体の一つ以上を保管できる媒体保管部と、
前記媒体保管部へと媒体を案内または前記媒体保管部から引出された媒体を案内するための移送モジュールと、を含み、
前記移送モジュールの一部を変更また代替することで、前記媒体保管部に媒体を補充するための補充機能及び媒体保管部から媒体を回収するための回収機能の一つ以上の機能を行うことができる付加機能モジュールを設置または除去できる金融機器。
【請求項２】
前記移送モジュールは、金融機器の形態によらず使用できる共通移送モジュールを含み、
前記付加機能モジュールを設置する場合、前記共通移送モジュールに追加的移送モジュールを連結することができ、
前記付加機能モジュールを除去する場合、前記追加的移送モジュールを除去することができる請求項１に記載の金融機器。
【請求項３】
媒体を回収するための回収モジュールと、前記回収モジュールへと媒体を案内できる移送モジュールをさらに含むことができ、
前記付加機能モジュールの除去時、前記回収モジュールと、前記回収モジュールへと媒体を案内できる移送モジュールが除去される請求項２に記載の金融機器。
【請求項４】
前記付加機能モジュールを、媒体を回収するための多数の回収モジュールで代替することができ、
前記追加的移送モジュールを、前記多数の回収モジュールのそれぞれに媒体を移送するための分岐経路を有する移送モジュールで代替できる請求項２に記載の金融機器。
【請求項５】
前記移送モジュールは、金融機器の形態によらず使用できる共通移送モジュールを含み、
媒体を回収するための回収モジュールを設置しようとする場合、
前記回収モジュールと前記共通移送モジュールを連結するための移送モジュールをさらに追加できる請求項１に記載の金融機器。
【請求項６】
前記移送モジュールの一部を変更して前記一時保管モジュールの位置を変更できる請求項１に記載の金融機器。
【請求項７】
媒体が収納される媒体収納空間を備える媒体入出モジュールと、
前記媒体を鑑別するための鑑別モジュールと、
前記媒体入出モジュールの媒体を前記鑑別モジュールに案内するための第１移送モジュールと、
前記鑑別モジュールを通った入金のための媒体が一時保管される一時保管モジュールと、
前記鑑別モジュールと前記一時保管モジュールの間で媒体を移送させる第１連結モジュールと、
入金のための媒体と出金のための媒体を保管するための媒体保管部と、
前記第１連結モジュールを通った媒体を前記媒体保管部に案内するための第２連結モジュールと、を含み、
前記一時保管モジュールは、前記第１連結モジュールの上方に位置され、前記第１連結モジュールは、前記第２連結モジュールの上方に位置され、前記第２連結モジュールは、前記媒体保管部の上方に位置され、
前記一時保管モジュール、前記第１連結モジュール、前記第２連結モジュール及び前記媒体保管部は、相互上下方向に重なるように配置され、
前記媒体入出モジュール、前記鑑別モジュール、前記第２連結モジュール及び前記媒体保管部は、相互上下方向に重なるように配置される金融機器。
【請求項８】
前記一時保管モジュールの少なくとも一部は、前記媒体入出モジュールと水平方向に重なるように配置され、
前記媒体入出モジュールの入金のための媒体は、前記媒体入出モジュールと前記一時保管モジュールとの間の領域を通過していない状態で前記一時保管モジュールに移送される請求項７に記載の金融機器。
【請求項９】
前記一時保管モジュールは、媒体が引入される引入経路と、媒体が引出される引出経路とを含み、
前記一時保管モジュールにおいて、媒体は長辺が集積面に支持されるように立てられた状態で集積される請求項２に記載の金融機器。
【請求項１０】
前記第１連結モジュールは、前記鑑別モジュールから移送される媒体を受ける第２移送モジュールと、前記第２移送モジュールから移送された媒体を移送する第３移送モジュールとを含む請求項９に記載の金融機器。
【請求項１１】
前記媒体入出モジュールは、前記媒体収納空間の媒体を第１移送モジュールに移送するための第１経路と、前記媒体収納空間に集積される媒体が移送される第２経路と、前記一時保管モジュールから引出され前記媒体保管部に移送される媒体を移送する第３経路を形成する請求項１０に記載の金融機器。
【請求項１２】
前記第２移送モジュールは、前記鑑別モジュールと連結される第４経路と、前記一時集積モジュールの引出経路と連結される第５経路を形成する請求項１１に記載の金融機器。
【請求項１３】
前記鑑別モジュールにて不良媒体と判断された媒体または前記鑑別モジュールで認識されていない媒体を回収するための回収モジュールをさらに含み、
前記回収モジュールは、前記第２連結モジュールの下方に位置され、前記第２連結モジュールの少なくとも一部及び前記一時集積モジュールの少なくとも一部と上下方向に重なるように配置される請求項１０に記載の金融機器。
【請求項１４】
前記第３移送モジュールの媒体を前記第２連結モジュールに案内する第５移送モジュールと、
前記第５移送モジュールの上方に位置され、前記一時保管モジュールの後方に位置される第６移送モジュールと、
前記第６移送モジュールの後方に位置され、前記媒体保管部への補充のための媒体及び前記媒体保管部で回収された媒体の一つ以上を保管できる付加機能モジュールをさらに含み、
前記一時保管モジュールと前記付加機能モジュールとの間に前記第６移送モジュールの少なくとも一部が位置される請求項１０に記載の金融機器。
【請求項１５】
前記第５移送モジュールの下方に位置され、前記第５移送モジュールから移送された媒体を移送する第７移送モジュールと、
前記鑑別モジュールを通った媒体のうち不良媒体と判断された媒体または前記鑑別モジュールによって認識されていない媒体を回収する回収モジュールをさらに含み、
前記回収モジュールは、前記付加機能モジュールの下方に位置され、前記付加機能モジュールの少なくとも一部と上下方向に重なるように配置される請求項１４に記載の金融機器。
【請求項１６】
前記第６移送モジュールは、前記媒体入出モジュールに収納されてはいるが、顧客が受取っていない媒体を保管できる回収部をさらに含む請求項１４に記載の金融機器。
【請求項１７】
前記第３移送モジュールの媒体を前記第２連結モジュールに案内する第８移送モジュールと、
前記第８移送モジュールの下方に位置され、媒体を回収するための回収モジュールをさらに含み、
前記第８移送モジュールは、前記媒体保管部の上方に位置され、
前記第８移送モジュールは、前記媒体保管部の少なくとも一部及び前記回収モジュールの少なくとも一部と上下方向に重なるように配置される請求項９に記載の金融機器。
【請求項１８】
前記第８移送モジュールの上方に位置され、前記一時保管モジュールの後方に位置される第９移送モジュールと、
前記第９移送モジュールの後方に位置され、媒体を保管するための一つ以上の追加的回収モジュールをさらに含む請求項１７に記載の金融機器。
【請求項１９】
前記第３移送モジュールから移送された媒体を前記第２連結モジュールに移送できる第１０移送モジュールと、
前記第１０移送モジュールの下方に位置され、前記媒体保管部への補充のための媒体及び前記媒体保管部で回収された媒体の一つ以上を保管できる付加機能モジュールと、
前記付加機能モジュールと前記媒体保管部との間に配置される一つ以上の回収モジュールをさらに含む請求項９に記載の金融機器。
【請求項２０】
媒体が収納される媒体収納空間を備える媒体入出モジュールと、
前記媒体を鑑別するための鑑別モジュールと、
前記媒体入出モジュールの媒体を前記鑑別モジュールに案内するための第１移送モジュールと、
前記鑑別モジュールを通った媒体が移送される第２移送モジュールと、
前記第２移送モジュールを通った媒体が移送される第３移送モジュールと、
前記鑑別モジュールの下方に位置され、前記第３移送モジュールを通った媒体が移送される第４移送モジュールと、
前記第４移送モジュールから移送された媒体を保管でき、保管された媒体を前記第４移送モジュールに移送できる媒体保管部と、
前記鑑別モジュールを通った入金のための媒体が一時保管される一時保管モジュールと、
前記第３移送モジュールを通った媒体を前記第４移送モジュール及び前記一時保管モジュールに案内できる第５移送モジュールとを含む金融機器。
【発明の詳細な説明】
【技術分野】
【０００１】
本発明は、金融機器に関するものである。
【背景技術】
【０００２】
一般的に、金融機器は、顧客が所望する金融業務を処理する機器である。前記金融機器は、媒体を入出金したり自動振替をすることができる。
【０００３】
前記金融機器は、一例として顧客が使用する顧客用金融機器と銀行の係員が使用する係員用金融機器に区分される。
【０００４】
そして、顧客用金融機器も用途によって、入出金兼用金融機器、入金用金融機器、出金用金融機器などに区分される。
【０００５】
大韓民国公開特許公報第２０１３-００２７６５９号(公開日２０１３.０３.１８.；先行文献１)には、媒体処理装置及び金融機器が開示されている。
【０００６】
また、大韓民国公開特許公報第２０１２-００７９８２３号(公開日２０１２.０７.１３.；先行文献２)には、金融自動化機器が開示されている。
【０００７】
先行文献１には、係員(teller)用金融機器が開示され、先行文献２には顧客用金融機器が開示されている。
【０００８】
このように、金融機器の用途によって、金融機器を構成するモジュールの配置や構造が異なるので、金融機器の用途別に金融機器を新たに設計及び製造しなければならない問題がある。
【０００９】
また、顧客用金融機器や係員用金融機器の場合にも、設置位置、使用地域によって、大きさや仕様が異なってくるが、先行文献によれば、金融機器の種類や使用地域によらずモジュールを共通的に使用することができず、金融機器の種類別にモジュールを新たに構成及び設計しなければならない問題がある。
【発明の概要】
【発明が解決しようとする課題】
【００１０】
本発明は、用途や設置位置に応じて多様な形態に変形できる金融機器を提供することを目的とする。
【課題を解決するための手段】
【００１１】
一側面による金融機器は、媒体が貯蔵される媒体貯蔵空間を備える媒体入出モジュールと、前記媒体を鑑別するための鑑別モジュールと、前記媒体を一時保管するための一時保管モジュールと、前記媒体貯蔵空間に投入された入金のための媒体及び出金のための媒体の一つ以上を保管できる媒体保管部と、前記媒体保管部へと媒体を案内または前記媒体保管部から引出された媒体を案内するための移送モジュールとを含み、前記移送モジュールの一部を変更また代替することで、前記媒体保管部に媒体を補充するための補充機能及び媒体保管部から媒体を回収するための回収機能の一つ以上の機能を行うことができる付加機能モジュールを設置または除去することができる。
【００１２】
前記移送モジュールは、金融機器の形態によらず使用できる共通移送モジュールを含み、前記付加機能モジュールを設置する場合、前記共通移送モジュールに追加的移送モジュールを連結することができ、前記付加機能モジュールを除去する場合、前記追加的移送モジュールを除去することができる。
【００１３】
前記金融機器は、媒体を回収するための回収モジュールと、前記回収モジュールへと媒体を案内できる移送モジュールをさらに含むことができ、前記付加機能モジュールの除去時、前記回収モジュールと、前記回収モジュールへと媒体を案内できる移送モジュールを除去することができる。
【００１４】
前記追加的移送モジュールは、前記回収モジュールへと媒体を案内できる移送モジュールと連結される。
【００１５】
前記付加機能モジュールは、前記回収モジュールの上方に配置することができる。
【００１６】
前記付加機能モジュールを、媒体を回収するための多数の回収モジュールで代替することができ、前記追加的移送モジュールを、前記多数の回収モジュールのそれぞれに媒体を移送するための分岐経路を有する移送モジュールで代替できる。
【００１７】
前記移送モジュールは、金融機器の形態によらず使用できる共通移送モジュールを含み、媒体を回収するための回収モジュールを設置しようとする場合、前記回収モジュールと前記共通移送モジュールを連結するための移送モジュールをさらに追加することができる。
【００１８】
前記媒体保管部は、媒体を保管するための多数の媒体保管モジュールを含み、追加される回収モジュールは多数個であり、前記共通移送モジュールは、前記多数の媒体保管モジュールのうち一部媒体保管モジュールと連結され、追加された移送モジュールは、前記多数の媒体保管モジュールのうち他の一部の媒体保管モジュールと連結される。
【００１９】
前記回収モジュールが追加された場合、前記付加機能モジュールを前記回収モジュールの上方に配置することができる。
【００２０】
前記移送モジュールの一部を変更して前記一時保管モジュールの位置を変更することができる。
【００２１】
前記移送モジュールは、金融機器の形態によらず使用できる共通移送モジュールを含み、前記一時保管モジュールを位置を変更するために、前記共通移送モジュールと前記一時保管モジュールを連結する移送モジュールをさらに設置することができる。
【００２２】
前記一時保管モジュールの下方に媒体を回収するための回収モジュールをさらに設置することができる。
【００２３】
他の側面による金融機器は、媒体が貯蔵される媒体貯蔵空間を備える媒体入出モジュールと、前記媒体を鑑別するための鑑別モジュールと、前記媒体入出モジュールの媒体を前記鑑別モジュールに案内するための第１移送モジュールと、前記鑑別モジュールを通った出金のための媒体が一時保管される一時保管モジュールと、前記鑑別モジュールと前記一時保管モジュールの間で媒体を移送させる第１連結モジュールと、入金のための媒体と出金のための媒体を保管するための媒体保管部と、前記第１連結モジュールを通った媒体を前記媒体保管部に案内するための第２連結モジュールとを含み、前記一時保管モジュールは、前記第１連結モジュールの上方に位置され、前記第１連結モジュールは、前記第２連結モジュールの上方に位置され、前記第２連結モジュールは、前記媒体保管部の上方に位置され、前記一時保管モジュール、前記第１連結モジュール、前記第２連結モジュール及び前記媒体保管部は、相互上下方向に重なるように配置され、前記媒体入出モジュール、前記鑑別モジュール、前記第２連結モジュール及び前記媒体保管部は、相互上下方向に重なるように配置される。
【００２４】
前記一時保管モジュールの少なくとも一部は、前記媒体入出モジュールと水平方向に重なるように配置され、前記媒体入出モジュールの入金のための媒体は、前記媒体入出モジュールと前記一時保管モジュールとの間の領域を通過していない状態で前記一時保管モジュールに移送される。
【００２５】
前記一時保管モジュール全体を前記媒体入出モジュールと水平方向に重なるように配置することができる。
【００２６】
前記一時保管モジュールは、媒体が引入される引入経路と、媒体が引出される引出経路とを含み、前記一時保管モジュールにおいて、媒体は長辺が集積面に支持されるように立てられた状態で集積される。
【００２７】
前記第１連結モジュールは、前記鑑別モジュールから移送される媒体を受ける第２移送モジュールと、前記第２移送モジュールから移送された媒体を移送する第３移送モジュールとを含むことができる。
【００２８】
前記一時保管モジュールは、前記第２移送モジュール及び前記第３移送モジュールのそれぞれの少なくとも一部と上下方向に重なるように配置される。
【００２９】
前記媒体入出モジュールは、前記媒体収納空間の媒体を第１移送モジュールに移送するための第１経路と、前記媒体収納空間に集積される媒体が移送される第２経路と、前記一時保管モジュールから引出され前記媒体保管部に移送される媒体を移送する第３経路を形成することができる。
【００３０】
前記第２移送モジュールは、前記鑑別モジュールと連結される第４経路と、前記一時集積モジュールの引出経路と連結される第５経路を形成することができる。
【００３１】
前記第２移送モジュール単独または前記第３移送モジュール単独または前記第２移送モジュール及び前記第３移送モジュールは、前記第４経路と前記第５経路を連結する案内経路を形成することができる。
【００３２】
前記第３移送モジュールは、前記第２移送モジュールから移送された媒体を前記第２連結モジュールに直接案内することができる。
【００３３】
前記鑑別モジュールにて不良媒体と判断された媒体または前記鑑別モジュールで認識されていない媒体を回収するための回収モジュールをさらに含み、前記回収モジュールは、前記第２連結モジュールの下方に位置され、前記第２連結モジュールの少なくとも一部及び前記一時集積モジュールの少なくとも一部と上下方向に重なるように配置される。
【００３４】
前記第３移送モジュールの媒体を前記第２連結モジュールに案内する第５移送モジュールをさらに含むことができる。
【００３５】
前記第５移送モジュールの上方に位置され、前記一時保管モジュールの後方に位置される第６移送モジュールと、前記第６移送モジュールの後方に位置され、前記媒体保管部への補充のための媒体及び前記媒体保管部で回収された媒体の一つ以上を保管できる付加機能モジュールをさらに含み、前記一時保管モジュールと前記付加機能モジュールとの間に前記第６移送モジュールの少なくとも一部が位置される。
【００３６】
前記第５移送モジュールの下方に位置され、前記第５移送モジュールから移送された媒体を移送する第７移送モジュールと、前記鑑別モジュールを通った媒体のうち不良媒体と判断された媒体または前記鑑別モジュールによって認識されていない媒体を回収する回収モジュールをさらに含み、前記回収モジュールは、前記付加機能モジュールの下方に位置され、前記付加機能モジュールの少なくとも一部と上下方向に重なるように配置される。
【００３７】
前記第２移送モジュールと前記付加機能モジュールとの間の経路から、受取っていない媒体を回収するための回収部及び前記回収モジュールに媒体を移送するための経路がそれぞれ分岐される。
【００３８】
前記付加機能モジュールから引出された補充のための媒体は、前記第６移送モジュール、前記第３移送モジュール、第２移送モジュール、第１移送モジュールを通って前記鑑別モジュールを通り、前記鑑別モジュールを通った補充のための媒体のうち正常媒体と判断された媒体は、前記第２移送モジュール、第３移送モジュール、第５移送モジュール、第４移送モジュールを通って前記媒体保管部に集積される。
【００３９】
前記鑑別モジュールを通った補充のための媒体のうち前記媒体保管部への保管が不適切と判断された媒体は、前記第２移送モジュール、第３移送モジュール、第５移送モジュール及び第７移送モジュールを通って前記回収モジュールに移送される。
【００４０】
前記媒体保管部から引出された回収のための媒体は、前記第４移送モジュール、第１移送モジュールを通って前記鑑別モジュールを通り、前記鑑別モジュールを通った回収のための媒体のうち正常媒体と判断された媒体は、前記第２移送モジュール、第３移送モジュール、第６移送モジュールを通って前記付加機能モジュールに回収される。
【００４１】
前記鑑別モジュールを通った回収のための媒体のうち前記付加機能モジュールへの保管が不適切と判断された媒体は、前記第２移送モジュール、第３移送モジュール、第５移送モジュール及び第７移送モジュールを通って前記回収モジュールに移送される。
【００４２】
前記第６移送モジュールは、前記媒体入出モジュールに収納されてはいるが、顧客が受取っていない媒体を保管できる回収部をさらに含むことができる。
【００４３】
前記媒体入出モジュールに収納されてはいるが、顧客が受取っていない媒体は、前記第１移送モジュールを通って前記鑑別モジュールに移送され、前記鑑別モジュールを通った前記受取っていない媒体は、前記第２移送モジュール、第３移送モジュールを通って前記第６移送モジュールによって前記回収部に移送される。
【００４４】
前記第３移送モジュールの媒体を前記第２連結モジュールに案内する第８移送モジュールと、前記第８移送モジュールの下方に位置され、媒体を回収するための回収モジュールをさらに含むことができる。
【００４５】
前記第８移送モジュールは、前記媒体保管部の上方に位置され、前記第８移送モジュールは、前記媒体保管部の少なくとも一部及び前記回収モジュールの少なくとも一部と上下方向に重なるように配置される。
【００４６】
前記媒体保管部は、前記多数の媒体保管モジュールを含み、前記媒体入出モジュールに投入された媒体の券種によって、一種類の媒体は、前記第８移送モジュールによって直接多数の媒体保管モジュールのうちの一つに移送され、他種類の媒体は、前記第８移送モジュールから前記第２連結モジュールに移送された後、多数の媒体保管モジュールのうちの別の一つに移送される。
【００４７】
前記鑑別モジュールを通った媒体のうち前記媒体保管部への保管が不適切な媒体は、前記第２移送モジュール、前記第３移送モジュール及び前記第８移送モジュールを通って前記回収モジュールに移送される。
【００４８】
前記第８移送モジュールの上方に位置され、前記一時保管モジュールの後方に位置される第９移送モジュールと、前記第９移送モジュールの後方に位置され、媒体を保管するための一つ以上の追加的回収モジュールをさらに含むことができる。
【００４９】
前記媒体入出モジュールに収納されてはいるが、顧客が受取っていない媒体は、前記第１移送モジュールを通って前記鑑別モジュールに移送され、前記鑑別モジュールを通った前記受取っていない媒体は、前記第２移送モジュール、第３移送モジュール及び前記第９移送モジュールを通って前記一つ以上の追加的回収モジュールに移送される。
【００５０】
前記一つ以上の追加的回収モジュールは、前記第８移送モジュールの上方に位置され、前記回収モジュール及び前記一つ以上の追加的回収モジュールの間の領域に、前記第８移送モジュールの少なくとも一部が配置される。
【００５１】
前記第３移送モジュールから移送された媒体を前記第２連結モジュールに移送できる第１０移送モジュールと、前記第１０移送モジュールの下方に位置され、前記媒体保管部への補充のための媒体及び前記媒体保管部で回収された媒体の一つ以上を保管できる付加機能モジュールと、前記付加機能モジュールと前記媒体保管部との間に配置される一つ以上の回収モジュールをさらに含むことができる。
【００５２】
前記付加機能モジュールから引出された補充のための媒体は、前記第１０移送モジュール、前記第３移送モジュール、第２移送モジュール、第１移送モジュールを通って前記鑑別モジュールを通り、前記鑑別モジュールを通った補充のための媒体のうち正常媒体と判断された媒体は、前記第２移送モジュール、第３移送モジュール、第１０移送モジュール及び第４移送モジュールを通って前記媒体保管部に集積される。
【００５３】
前記鑑別モジュールを通った補充のための媒体のうち前記媒体保管部への保管が不適切と判断された媒体は、前記第２移送モジュール、第３移送モジュールを通った後、前記第１０移送モジュールによって直接一つ以上の回収モジュールに移送、または、前記第１０移送モジュールによって前記第４移送モジュールに移送された後前記一つ以上の回収モジュールに移送される。
【００５４】
前記媒体保管部から引出された回収のための媒体は、前記第４移送モジュール、第１移送モジュールを通って前記鑑別モジュールを通り、前記鑑別モジュールを通った回収のための媒体のうち正常媒体と判断された媒体は、前記第２移送モジュール、第３移送モジュール、第１０移送モジュールを通って前記付加機能モジュールに回収される。
【００５５】
前記鑑別モジュールを通った回収のための媒体のうち前記付加機能モジュールへの保管が不適切な媒体は、前記第２移送モジュール、第３移送モジュールを通った後、前記第１０移送モジュールによって直接一つ以上の回収モジュールに移送、または、前記第１０移送モジュールによって前記第４移送モジュールに移送された後前記一つ以上の回収モジュールに移送される。
【００５６】
前記媒体入出モジュールに放出されたが、顧客が受取っていない媒体は、前記第１移送モジュールを通って前記鑑別モジュールに移送され、前記鑑別モジュールを通った前記受取っていない媒体は、前記第２移送モジュール、第３移送モジュールを通った後、前記第１０移送モジュールによって一つ以上の回収モジュールに移送、または、前記第１０移送モジュールによって前記第４移送モジュールに移送された後前記一つ以上の回収モジュールに移送される。
【００５７】
さらに他の側面による金融機器は、媒体が収納される媒体収納空間を備える媒体入出モジュールと、前記媒体を鑑別するための鑑別モジュールと、前記媒体入出モジュールの媒体を前記鑑別モジュールに案内するための第１移送モジュールと、前記鑑別モジュールを通った媒体が移送される第２移送モジュールと、前記第２移送モジュールを通った媒体が移送される第３移送モジュールと、前記鑑別モジュールの下方に位置され、前記第３移送モジュールを通った媒体が移送される第４移送モジュールと、前記第４移送モジュールから移送された媒体を保管でき、保管された媒体を前記第４移送モジュールに移送できる媒体保管部と、前記鑑別モジュールを通った出金のための媒体が一時保管される一時保管モジュールと、前記第３移送モジュールを通った媒体を前記第４移送モジュール及び前記一時保管モジュールに案内できる第５移送モジュールとを含む。
【００５８】
前記一時集積モジュールから引出された媒体を前記第３移送モジュールに案内する第６移送モジュールをさらに含むことができる。
【００５９】
前記第６移送モジュールは、前記第５移送モジュールの上方に位置され、前記第５移送モジュールの少なくとも一部が上下方向に重なるように配置される。
【００６０】
前記第５移送モジュールは、前記一時保管モジュールの下方及び前記第４移送モジュールの後方に位置され、前記一時保管モジュールの少なくとも一部と上下方向に重なるように配置される。
【００６１】
前記第５移送モジュールの下方に位置され、前記媒体保管部と水平方向に配列され、前記第５移送モジュールから移送された媒体を回収できる回収モジュールをさらに含むことができる。
【００６２】
前記第２移送モジュールと前記一時集積モジュールとの間の領域に前記第３移送モジュール及び前記第６移送モジュールのそれぞれの少なくとも一部が配置される。
【００６３】
前記媒体入出モジュールに投入された媒体は、前記第１移送モジュールを通って前記鑑別モジュールに移送され、前記鑑別モジュールを通った媒体は、前記第２移送モジュール、第３移送モジュール、第５移送モジュールを通って前記一時保管モジュールに移送される。
【００６４】
前記一時保管モジュールから引出された媒体は、前記第６移送モジュール、第３移送モジュール、第２移送モジュール及び前記第１移送モジュールを通って前記鑑別モジュールに再移送され、前記鑑別モジュールを再度通った媒体は、前記第２移送モジュール、第３移送モジュール、第５移送モジュール、第４移送モジュールを通って前記媒体保管部に保管される。
【発明の効果】
【００６５】
本発明によれば、金融機器の形態が変更されても、形態変更と関係なく共通モジュールを使用することができるので、モジュールの互換性が向上する。よって、金融機器の形態別にモジュールを新たに設計及び製造しなくてもよいので、製造コストを減らすことができる。
【００６６】
また本発明によれば、媒体入出モジュールの後方に一時集積モジュールが配置されることで、前記一時集積モジュールに集積された媒体の返還のために前記媒体入出モジュールに移送されるべき移送経路及び２次入金のために鑑別モジュールに移送されるべき移送経路が短くなる。
【００６７】
また本発明によれば、媒体の補充及び/または回収のための付加機能モジュールが金融機器の最後側に位置される。よって、係員または管理者などはドアを開放させて前記付加機能モジュールに簡単に接近することができる。
【００６８】
また本発明によれば、付加機能モジュールが金庫内に収容できるので、付加機能モジュールのセキュリティ性が向上する。
【図面の簡単な説明】
【００６９】
【図１】本発明の一実施例に係る金融機器を概略的に示す構成図。
【図２】図１の金融機器の１次入金過程を示す図。
【図３】図１の金融機器の２次入金過程を示す図。
【図４】図１の金融機器の出金過程を示す図。
【図５】図１の金融機器において媒体の補充過程を示す図。
【図６】図１の金融機器において媒体の回収過程を示す図。
【図７】図１の金融機器の受取っていない媒体の回収過程を示す図。
【図８】図１の金融機器が第２形態に変更された様子を示す図。
【図９】図８の金融機器の１次入金過程を示す図。
【図１０】図８の金融機器の２次入金過程を示す図。
【図１１】図８の金融機器の出金過程を示す図。
【図１２】図１の金融機器が第３形態に変更された様子を示す図。
【図１３】図１２の金融機器の１次入金過程を示す図。
【図１４】図１２の金融機器の２次入金過程を示す図。
【図１５】図１２の金融機器の出金過程を示す図。
【図１６】図１２の金融機器において受取っていない媒体の回収過程を示す図。
【図１７】図１の金融機器が第４形態に変更された様子を示す図。
【図１８】図１７の金融機器の１次入金過程を示す図。
【図１９】図１７の金融機器の２次入金過程を示す図。
【図２０】図１７の金融機器の出金過程を示す図。
【図２１】図１７の金融機器において媒体の補充過程を示す図。
【図２２】図１７の金融機器において媒体の回収過程を示す図。
【図２３】図１７の金融機器において受取っていない媒体の回収過程を示す図。
【図２４】図１の金融機器が第５形態に変更された様子を示す図。
【図２５】図２４の金融機器の１次入金過程を示す図。
【図２６】図２４の金融機器の２次入金過程を示す図。
【図２７】図２４の金融機器の出金過程を示す図。
【図２８】図２４の金融機器において媒体の係数過程を示す図。
【発明を実施するための形態】
【００７０】
以下、本発明の一部の実施例を例示的な図面を介して詳細に説明する。各図面の構成要素に参照符号を与えるに当たって、同じ構成要素に対してはたとえ他の図面上に表記されていてもできるだけ同じ符号を与えていることに注意すべきである。また、本発明の実施例を説明するに当たって、関連する公知の構成又は機能に対する具体的な説明が本発明の実施例に対する理解を妨げると判断される場合、その詳細な説明を省略する。
【００７１】
また、本発明の実施例の構成要素を説明するに当たって第１、第２、Ａ、Ｂ、（ａ）、（ｂ）などの用語を使用する。このような用語はその構成要素を他の構成要素と区別するためのものに過ぎず、その用語によって該当構成要素の本質や順番又は順序などは限られない。ある構成要素が他の構成要素に「連結」、「結合」又は「接続」されると記載される場合、その構成要素はその他の構成要素に直接的に連結されるか接続される可能性があるが、各構成要素の間に他の構成要素が「連結」、「結合」又は「接続」される可能性もあると理解されるべきである。
【００７２】
本発明の一実施例による金融機器は、一例に紙幣、証券（小切手を含む）、ジーロ、コイン、商品券などのような多様な媒体を入手して預け入れ処理、ジーロ受納、商品券交換などのような処理及び／又は引き出し処理、ジーロ放出、商品券放出処理などのような媒体処理を行う金融業務を行う装置である。このような金融機器の例としては、現金自動支払い機（ＣＤ：Ｃａｓｈ  Ｄｉｓｐｅｎｓｅｒ），現金預け払い機（Ｃａｓｈ  Ｒｅｃｙｃｌｉｎｇ  Ｄｅｖｉｃｅ）などのような現金自動預け払い機（ＡＴＭ：Ａｕｔｏｍａｔｅｄ  Ｔｅｌｌｅｒ  Ｍａｃｈｉｎｅ）などになり得る。しかし、金融機器は上述した例に限られずにＦＩＳ（Ｆｉｎａｎｃｉａｌ  Ｉｎｆｏｒｍａｔｉｏｎ  Ｓｙｓｔｅｍ）のように金融業務を自動化する多様な装置にもなり得る。
以下、金融機器が現金自動預け払い機であると仮定して本発明の実施例を説明する。但し、このような仮定は説明の便宜のために過ぎず、本発明の技術思想が現金自動預け払い機に限って適用されることはない。
【００７３】
また、本発明の思想は各実施例にそのまま限定されず、２つ以上の実施例の組み合わせによって導出される実施例も含むことを明らかにする。
【００７４】
本明細書において、金融機器は多様な形態に変形して使用することができ、多様な形態に使用するために金融機器形態によらず共通的に備えられる共通モジュールを含むことができる。
【００７５】
本明細書において金融機器の形態は、金融機器が含むモジュールの個数や配置、モジュールの配置による金融機器の大きさまたは用途などによって異なる。
【００７６】
本明細書で説明されるモジュールは、独立的な一つ以上の機能を行う構成として、他のモジュールと結合させることができる。また、モジュールは多数の細部的なモジュールの結合からなることができる。
【００７７】
このような共通モジュールは、金融機器の形態によらず同一構造及び同一配置を有することができる。
【００７８】
以下、金融機器の多様な変形形態に対して説明することにする。
【００７９】
図１は、本発明の一実施例に係る金融機器を概略的に示す構成図である。
【００８０】
図１には金融機器が第１形態で使用される様子が図示される。
【００８１】
図１に示すように、本発明の一実施例に係る金融機器１は、媒体を処理するための媒体処理装置１０を含むことができる。
【００８２】
前記金融機器１は、形態によらず媒体処理装置１０を保護するためのハウジング(housing；図示されない)を含むことができる。ただし、金融機器１の使用目的、モジュール構成、機能及び形態によって、前記ハウジングの大きさ及び形態は異なってくる。
【００８３】
前記ハウジングには、前記媒体処理装置１０に接近するために開閉されるドアが連結される。前記ドアは、一般的に金融機器の後側に位置され、係員または管理者などが開閉することができる。
【００８４】
前記金融機器１は、顧客の情報を取得するための顧客情報獲得部１８をさらに含むことができる。
【００８５】
前記顧客情報獲得部１８は、通帳の入出を可能とし通帳を認識するための通帳処理モジュールを含むことができる。または、前記顧客情報獲得部１８は、カードの入出が可能でカードを認識するためのカード処理モジュールを含むことができる。または、前記顧客情報獲得部１８は近距離通信モジュールを含むことができる。
【００８６】
本実施例で、顧客情報獲得部１８の種類には制限がなく、RFIDタグまたはUSBに記録された情報を取得したり指紋など生体情報を利用して顧客情報を取得することも可能である。
【００８７】
前記金融機器１は、入金または出金のためのメニューと情報をディスプレイすることができ、入金または出金のための命令または情報を入力または選択できるユーザインタフェース１６をさらに含むことができる。
【００８８】
前記金融機器１は、前記媒体処理装置１０及びユーザインタフェース１６を制御できる制御部１４をさらに含むことができる。このとき、前記制御部１４は、前記媒体処理装置１０を制御する媒体処理装置制御部と、前記金融機器１を制御する金融機器制御部とを含むことができる。
【００８９】
前記媒体処理装置１０は、上部ユニット１１と下部ユニット１２を含むことができる。前記上部ユニット１１は、前記下部ユニット１２に分離可能に連結または前記下部ユニット１２に動き可能に連結される。または、前記上部ユニット１１と前記下部ユニット１２が連結されることなく単に接触した状態を維持することも可能である。
【００９０】
前記媒体処理装置１０は、媒体の入出のための媒体入出モジュール２０を含むことができる。
【００９１】
前記媒体入出モジュール２０は、顧客によって接近可能な媒体貯蔵空間を含むことができ、前記媒体貯蔵空間はシャッター(Shutter)及び/またはカバー(cover)等のような遮蔽部材によって開閉され、時には開閉されず開放された状態で維持される。前記媒体貯蔵空間は、区画部材によって多数の貯蔵空間に区画することができる。
【００９２】
前記媒体入出モジュール２０は、例えば紙幣及び/または小切手のような多様な種類の媒体が投入及び放出される共通入出部役割をすることができる。一枚を含むバンドル単位で媒体を前記媒体入出モジュール２０に投入することができる。
【００９３】
または、バンドル単位で媒体を前記媒体入出モジュール２０から放出(release)するできる。このとき、紙幣及び/または小切手をバンドル単位で前記媒体入出モジュール２０に一緒に投入及び前記媒体入出モジュール２０から放出することができる。
【００９４】
または、前記媒体入出モジュール２０内で媒体が投入される投入空間と媒体が放出される放出空間が区分される。または、前記媒体入出モジュール２０が独立的な媒体投入モジュールと媒体放出モジュールを含むことができる。
【００９５】
前記媒体入出モジュール２０は、媒体貯蔵空間の媒体が移送される第１経路２１と、媒体貯蔵空間に貯蔵される媒体が移送される第２経路２２を形成することができる。
【００９６】
前記媒体入出モジュール２０は、前記第１経路２１及び第２経路２２と区分される第３経路２３をさらに形成することができる。
【００９７】
本明細書で、特定モジュールが経路を形成するという意味は、特定モジュール単独で経路を形成するものだけでなく、特定モジュールが別のモジュールと一緒に経路を形成するものを含む。
【００９８】
前記媒体処理装置１０は、鑑別モジュール２５をさらに含むことができる。前記鑑別モジュール２５は、媒体の状態を判断することができる。一例として、前記鑑別モジュール２５は、入金取引過程、出金取引過程などで媒体の券種、厚さ、金額などを識別したり、不良媒体または偽造媒体などを判別することができる。
【００９９】
前記媒体処理装置１０は、前記媒体入出モジュール２０に集積された媒体を前記鑑別モジュール２５に移送するための第１移送モジュール３１をさらに含むことができる。
【０１００】
前記第１移送モジュール３１は、前記媒体入出モジュール２０の第１経路２１上の媒体を受けて前記鑑別モジュール２５に移送することができる。前記第１移送モジュール３１は、メイン経路３１ａを含むことができる。前記メイン経路３１ａは、前記媒体入出モジュール２０と前記鑑別モジュール２５を連結することができる。前記第１移送モジュール３１は、前記メイン経路３１ａに連結される分岐経路３１ｂをさらに含むことができる。前記分岐経路３１ｂは、第４移送モジュール４１と連結される。
【０１０１】
前記第１移送モジュール３１と前記鑑別モジュール２５は、前記媒体入出部２０の下方に位置される。
【０１０２】
前記第１移送モジュール３１の少なくとも一部は、前記媒体入出モジュール２０と上下方向に重なるように配置される。また、前記鑑別モジュール２５の少なくとも一部は、前記媒体入出モジュール２０と上下方向に重なるように配置される。
【０１０３】
前記媒体処理装置１０は、前記鑑別モジュール２５を通った媒体を移送する第２移送モジュール３３をさらに含むことができる。前記第２移送モジュール３３は、前記鑑別モジュール２５を基準に前記第１移送モジュール３１の反対側に位置される。
【０１０４】
前記第２移送モジュール３３は、個別的な経路である第４経路３４及び第５経路３５を形成することができる。前記鑑別モジュール２５を通った媒体は、前記第４経路３４に沿って移送される。
【０１０５】
前記媒体入出モジュール２０に移送される媒体は、前記第５経路３５に沿って移送される。前記第５経路３５に沿って移送される媒体は、前記第２経路２２または第３経路２３に移送される。
【０１０６】
制限的ではないが、前記第４経路３４及び前記第５経路３５は上下方向に配列することができる。
【０１０７】
前記媒体処理装置１０は、媒体を一時的に集積するための一時保管モジュール(temporary storing module)２７をさらに含むことができる。
【０１０８】
前記一時保管モジュール２７は、入金取引過程で前記媒体入出モジュール２０に投入された媒体を一時的に保管することができる。
【０１０９】
前記一時保管モジュール２７に保管された媒体は、入金取引過程で後述する媒体保管部５０に移送されるかまたは前記媒体入出モジュール２０に返還される。
【０１１０】
前記一時保管モジュール２７は、前記媒体入出モジュール２０の後方に位置される。前記一時保管モジュール２７の少なくとも一部は、前記媒体入出モジュール２０と水平方向に重なるように配置される。前記金融機器１のコンパクト化及び経路の単純化のために、前記一時集積モジュール２７の全部を前記媒体入出モジュール２０と水平方向に重なるように配置することができる。本発明で、「前方」は前記金融機器の前面に向かう方向であり、「後方」は前記金融機器の後面に向かう方向である。本発明で、金融機器の前面は、図１で左側面である。
【０１１１】
また、前記媒体入出モジュール２０と前記一時保管モジュール２７との間に他のモジュールや経路が介入していない状態で、前記一時保管モジュール２７が前記媒体入出モジュール２０の後方に位置される。従って、前記媒体入出モジュール２０の媒体は、前記一時保管モジュール２７と前記媒体入出モジュール２０との間の領域を通過していない状態で、前記一時保管モジュール２７に移送される。また、前記一時保管モジュール２７から引出された媒体は、前記一時保管モジュール２７と前記媒体入出モジュール２０との間の領域を通過していない状態で、前記第２経路２２または前記第３経路２３に移送される。
【０１１２】
前記一時保管モジュール２７の少なくとも一部は、前記第２移送モジュール３３と上下方向に重なるように配置される。
【０１１３】
前記一時保管モジュール２７は、引入経路２８と引出経路２９を形成することができる。前記引出経路２９は、前記第２移送モジュール３３の第５経路３５と連結される。
【０１１４】
前記一時保管モジュール２７において、媒体は長辺が集積面に支持されるように立てられた状態で集積される。そして、媒体は前記引入経路２８に沿って上方向に移送され、前記引出経路２９に沿って下方に移送される。
【０１１５】
前記第２移送モジュール３３は、前記第４経路３４上の媒体を前記第５経路３５に案内する案内経路３６の一部または全部をさらに形成することができる。
【０１１６】
前記案内経路３６は、前記一時保管モジュール２７の引入経路２８と連結される。別の例として、前記引入経路２８が前記第５経路３５に連結される。
【０１１７】
前記媒体処理装置１０は、前記第２移送モジュール３３と一緒に前記案内経路３６の一部または全部を形成する第３移送モジュール３７をさらに含むことができる。
【０１１８】
別の例として、前記第３移送モジュール３７単独で前記案内経路３６を形成することも可能である。または、前記第２移送モジュール３３単独で前記案内経路３６を形成することも可能である。
【０１１９】
前記第３移送モジュール３７は、前記第２移送モジュール３３の後方に位置される。そして、前記第３移送モジュール３７の少なくとも一部は、前記一時保管モジュール２７と上下方向に重なるように配置される。
【０１２０】
前記第３移送モジュール３７は、上下方向に配列される多数の連結経路３８〜４０を形成することができる。
【０１２１】
前記多数の連結経路３８〜４０は、制限的ではないが、第１連結経路３８と、前記第１連結経路３８の下方に位置される第２連結経路３９と、前記第２連結経路３９の下方に位置される第３連結経路４０と、前記第３連結経路４０の下方に位置される第４連結経路４０ａの一部または全部を含むことができる。
【０１２２】
前記媒体処理装置１０は、媒体を保管するための媒体保管部５０をさらに含むことができる。前記媒体保管部５０は、多数の媒体保管モジュール５１〜５４を含むことができる。
【０１２３】
前記多数の媒体保管モジュール５１〜５４は、一つ以上の紙幣保管モジュールと、一つ以上の小切手保管モジュールを含むことができる。本明細書で、前記紙幣保管モジュール及び小切手保管モジュールの個数には特に制限がない。別の例として、前記媒体保管部５０は、紙幣を保管する紙幣保管モジュールのみ、または、小切手を保管する小切手保管モジュールのみを含むことも可能である。または、多数の媒体保管モジュール５１〜５４は、商品券、有価証券、チケットなどを保管する保管モジュールを含むことができる。または、小切手保管モジュールを商品券、有価証券、チケットなどを保管する保管モジュールで代替することができる。ここで、媒体保管モジュールは、カセット、ボックス、ｂｉｎ等から具現することができる。
【０１２４】
本明細書で、媒体入出モジュール２０に投入された媒体が前記一時保管モジュール２７に移送されて保管される過程を１次入金過程と称することができ、前記一時保管モジュール２７に一時保管された媒体が前記媒体保管部５０に移送されて保管される過程を２次入金過程と称することができる。
【０１２５】
前記媒体処理装置１０は、前記第３移送モジュール３７から移送された媒体を前記媒体保管部５０に移送させる第４移送モジュール４１をさらに含むことができる。
【０１２６】
前記第４移送モジュール４１は、第６経路４１ａをさらに含むことができる。前記第４移送モジュール４１は、前記第１移送モジュール３１、前記鑑別モジュール２５、前記第２移送モジュール３３及び前記第３移送モジュール３７の下方に位置される。
【０１２７】
前記第１移送モジュール３１、前記鑑別モジュール２５、前記第２移送モジュール３３及び前記第３移送モジュール３７のそれぞれは、前記第４移送モジュール４１の少なくとも一部と上下方向に重なるように配置される。
【０１２８】
そして、前記一時保管モジュール２７、前記第２移送モジュール３３、第４移送モジュール４１及び前記媒体保管部５０は、上下方向に重なるように配置される。
【０１２９】
また、前記媒体入出モジュール２０、前記鑑別モジュール２５、前記第４移送モジュール４１及び前記媒体保管部５０は、相互上下方向に重なるように配置される。
【０１３０】
前記第１移送モジュール３１の分岐経路３１ｂは、前記第４移送モジュール４１の第６経路４１ａに連結される。
【０１３１】
前記媒体処理装置１０は、第５移送モジュール４２をさらに含むことができる。前記第５移送モジュール４２は、前記第３移送モジュール３７と前記第４移送モジュール４１を連結することができる。すなわち、前記第５移送モジュール４２は、前記第３移送モジュール３７と前記第４移送モジュール４１のいずれか一つのモジュールから移送された媒体を他のモジュールに移送することができる。
【０１３２】
前記媒体処理装置１０は、第６移送モジュール４３をさらに含むことができる。前記第６移送モジュール４３は、前記第３移送モジュール３７に媒体を移送したり前記第３移送モジュール３７から移送される媒体を受けることができる。制限的ではないが、前記第６移送モジュール４３は媒体を両方向に移送することができる。
【０１３３】
前記第６移送モジュール４３は、前記第３移送モジュール３７の第１連結経路３８と連結される第１分岐経路４４と、前記第３移送モジュール３７の第２連結経路３９と連結される第２分岐経路４５と、前記第１分岐経路４４及び前記第２分岐経路４５と連結される共通経路４６を含むことができる。
【０１３４】
前記第６移送モジュール４３は、媒体を回収するための回収部４７をさらに含むことができる。制限的ではないが、前記回収部４７には、前記媒体入出モジュール２０を介して顧客に放出されたが、顧客が受取っていない媒体、前記鑑別モジュール２５にて不良媒体と判断された媒体及び前記鑑別モジュール２５で認識されていない媒体の一つ以上が保管される。または、前記回収部４７が前記第６移送モジュール４３とは別途に備えられて前記第６移送モジュール４３に連結される。
【０１３５】
前記第５移送モジュール４２は、前記第４移送モジュール４１の後方に配置され、前記第６移送モジュール４３は、前記第３移送モジュール４１及び前記一時保管モジュール２７の後方に配置される。
【０１３６】
前記第６移送モジュール４３は、前記第５移送モジュール４２の上方に位置される。前記第６移送モジュール４３の少なくとも一部は、前記第５移送モジュール４２と上下方向に重なるように配置される。
【０１３７】
前記媒体処理装置１０は、媒体を補充したり回収する補充回収機能または媒体保管部５０に保管された媒体の数量を精密に確認するための精算機能などを含む付加機能を行うための付加機能モジュール３０をさらに含むことができる。一例として、前記付加機能モジュール３０には、前記媒体保管部５０に補充する媒体及び前記媒体保管部５０から回収された媒体の一つ以上の媒体が保管される。
【０１３８】
前記付加機能モジュール３０は、前記第５移送モジュール４２及び前記第６移送モジュール４３の後方に位置される。前記付加機能モジュール３０は、前記第５移送モジュール４２から移送される媒体を受けたり前記第５移送モジュール４２に媒体を移送することができる。
【０１３９】
前記媒体処理装置１０は、第７移送モジュール６０をさらに含むことができる。前記第７移送モジュール６０は、下部ユニット１２の一構成として下部ユニットに分離可能に結合される。より詳しくは、前記第７移送モジュール６０は、下部ユニット１２に締結手段等を解して固定されるのではなく、着脱可能に結合できるカセットの形態で具現することができる。
【０１４０】
前記第７移送モジュール６０はね前記第５移送モジュール４２から移送される媒体を受けたり前記第５移送モジュール４２に媒体を移送することができる。
【０１４１】
前記第７移送モジュール６０は、前記多数の媒体保管モジュール５１〜５４と一緒に水平方向に配列される。
【０１４２】
前記媒体処理装置１０は、回収モジュール７０をさらに含むことができる。前記回収モジュール７０には、媒体の入金取引過程、媒体の出金取引過程、媒体の補充と回収過程の一つ以上の過程で発生しうるリジェクト媒体及び媒体保管モジュール５０への保管が不適切と判断された媒体が保管される。また、前記媒体処理装置１０は、前記金融機器１に小切手入出金機能が含まれる場合、入金小切手が保管される入金小切手保管空間をさらに含むことができる。このとき、前記入金小切手は、前記金融機器１を運用する銀行から発行された自行小切手と、他の銀行から発行された他行小切手が区分されて保管される。前記入金小切手保管空間は、前記回収モジュール７０とは別途のモジュールで構成することもでき、前記回収モジュール７０内に区切られた空間に区分されて保管される。前記回収モジュール７０及び/または前記入金小切手保管空間は、係員または管理者などがドアを開放させ前記回収モジュール７０及び/または前記小切手回収空間に簡単に接近できるように、金融機器１の最後方に位置される。
【０１４３】
前記回収モジュール７０は、下部ユニットに含まれ、前記多数の媒体保管モジュール５１〜５４及び前記第７移送モジュール６０と一緒に水平方向に配列される。
【０１４４】
また、前記回収モジュール７０は、前記付加機能モジュール３０の下方に位置され、前記付加機能モジュール３０の少なくとも一部と上下方向に重なるように配置される。
【０１４５】
従って、本実施例によれば、前記上部ユニット１１は、媒体入出モジュール２０、第１移送モジュール３１、鑑別モジュール２５、第２移送モジュール３３、一時保管モジュール２７、第３移送モジュール３７、第４移送モジュール４１、第５移送モジュール３７、第６移送モジュール４３及び付加機能モジュール３０を含むことができる。
【０１４６】
前記下部ユニット１２は、媒体保管部５０、第７移送モジュール６０及び回収モジュール７０を含むことができる。ただし、第４移送モジュール４１は、上部ユニット１１ではなく下部ユニット１２に含まれるようにすることもできる。
【０１４７】
以下、第１形態で使用される金融機器の作動に対して説明することにする。
【０１４８】
図２は、図１の金融機器の１次入金過程を示す図であり、図３は、図１の金融機器の２次入金過程を示す図である。
【０１４９】
図１〜図３に示すように、入金取引のために、媒体が媒体入出モジュール２０の媒体貯蔵空間に投入される。
【０１５０】
前記媒体貯蔵空間に投入された媒体は、媒体分離装置によって一枚ずつ分離される。一枚ずつ分離された媒体は、前記第１経路２１を通って前記第１移送モジュール３１に移送される。前記第１移送モジュール３１は、前記媒体を前記鑑別モジュール２５に移送する。
【０１５１】
前記鑑別モジュール２５は、前記媒体の券種及び媒体が正常媒体であるのか否かなどを判断することができる。
【０１５２】
前記鑑別モジュール２５にて正常媒体と判断された媒体は、前記第２移送モジュール３３及び前記第３移送モジュール３７によって前記一時保管モジュール２７に移送される。一例として、前記鑑別モジュール２５にて正常媒体と判断された媒体は、第４経路３４、連結経路３６、引入経路２８を通って前記一時保管モジュール２７内に集積される。
【０１５３】
反面、前記鑑別モジュール２５にて不良媒体と判断された媒体または前記鑑別モジュール２５で認識されていない媒体は、前記第２移送モジュール３３及び前記第３移送モジュール３７によって前記媒体入出モジュール２０に移送される。一例として、不良媒体と判断された媒体または認識されていない媒体は、前記第４経路３４、連結経路３６、第５経路３５及び第２経路２２を通って前記媒体入出モジュール２０に移送される。
【０１５４】
１次入金過程が完了すると、鑑別が完了し前記一時保管モジュール２７に保管された媒体の情報(例えば、金額、券種、枚数などのうち一つ以上)が前記ユーザインタフェース１６に表示される。
【０１５５】
そして、前記ユーザインタフェース１６を介して、前記一時集積モジュール２７に集積された媒体に対する入金確認命令または入金取消命令が入力される。
【０１５６】
ユーザインタフェース１６を介して入金確認命令が入力されると、前記一時保管モジュール２７に保管された媒体は、媒体分離装置(図示されない)によって分離される。前記媒体分離装置によって分離された媒体は、前記引出経路２９を通って前記第５経路３５に移送される。前記第５経路３５に移送された媒体は、前記媒体入出モジュール２０が形成する第３経路２３に移送される。前記第３経路２３に移送された媒体は、前記第１移送モジュール３１を通って前記鑑別モジュール２５を再度通る。
【０１５７】
前記鑑別モジュール２５を再度通った媒体は、前記第２移送モジュール３３、前記第３移送モジュール３７を通って前記第５移送モジュール４２に移送される。
【０１５８】
前記鑑別モジュール２５を再度通った媒体のうち正常媒体と判断された媒体は、前記第５移送モジュール４２によって前記第４移送モジュール４１に移送される。そして、前記第４移送モジュール４１に移送された媒体は、最終的に前記媒体保管部５０に引入される。
【０１５９】
反面、前記鑑別モジュール２５を再度通った媒体のうち媒体保管モジュールへの保管が不適切と判断された媒体は、前記第５移送モジュール４２によって前記第７移送モジュール６０に移送される。前記第７移送モジュール６０に移送された媒体は、最終的に前記回収モジュール７０に保管される。
【０１６０】
一方、ユーザインタフェース１６を介して入金取消命令が入力されると、前記一時保管モジュール２７に保管された媒体は、媒体分離装置(図示されない)によって分離される。前記媒体分離装置によって分離された媒体は、前記引出経路２９を通って前記第５経路３５に移送される。前記第５経路３５に移送された媒体は、前記媒体入出モジュール２０が形成する第２経路２２を通って前記媒体入出モジュール２０に移送される。
【０１６１】
本実施例の場合、媒体入出モジュールの後方に一時保管モジュールが配置されることで、前記一時保管モジュールに保管された媒体の返還のために前記媒体入出モジュールに移送されるべき移送経路及び２次入金のために鑑別モジュールに移送されるべき移送経路が短くなる。
【０１６２】
図４は、図１の金融機器の出金過程を示す図である。
【０１６３】
図１及び図４に示すように、ユーザインタフェース１６を介して媒体の出金命令が入力されると、前記媒体保管部５０から受信された出金金額に対応する券種及び枚数の媒体が引出される。前記媒体保管部５０から引出された媒体は、前記第４移送モジュール４１に沿って移送された後、前記第１移送モジュール３１を通って前記鑑別モジュール２５を通ることになる。
【０１６４】
前記鑑別モジュール２５を通った媒体のうち正常媒体と判断された媒体は、前記第２移送モジュール３３、第３移送モジュール３７によって前記媒体入出モジュール２０に移送される。
【０１６５】
反面、前記鑑別モジュール２５を通った媒体のうち不良媒体と判断されたり前記鑑別モジュール２５で認識されていない媒体は、前記第２移送モジュール３３、第３移送モジュール３７、第４移送モジュール４２及び第７移送モジュール６０を通って前記回収モジュール７０に移送される。
【０１６６】
図５は、図１の金融機器において媒体の補充過程を示す図である。
【０１６７】
図１及び図５に示すように、図示されない係員用インタフェースまたはユーザインタフェース１６を介して媒体補充命令が入力されると、前記付加機能モジュール３０に保管された媒体が前記付加機能モジュール３０から引出される。
【０１６８】
前記付加機能モジュール３０から引出された媒体は、前記第６移送モジュール４３及び前記第３移送モジュール３７を通って前記第２移送モジュール３３に移送される。前記第２移送モジュール３３に移送された補充のための媒体は、前記媒体入出モジュール２０が形成する第３経路２３を通る。前記第３経路を通った補充のための媒体は、前記第１移送モジュール３１によって前記鑑別モジュール２５を通る。
【０１６９】
前記鑑別モジュール２５を通った補充のための媒体は、前記第２移送モジュール３３及び前記第３移送モジュール３７を通って前記第５移送モジュール４２に移送される。
【０１７０】
前記鑑別モジュール２５を通った補充のための媒体のうち正常媒体と判断された媒体は、前記第５移送モジュール４２によって前記第４移送モジュール４１に移送される。そして、前記第４移送モジュール４１に移送された媒体は、最終的に前記媒体保管部５０に補充される。
【０１７１】
反面、前記鑑別モジュール２５を再度通った補充のための媒体のうち媒体保管部への保管が不適切と判断された媒体は、前記第５移送モジュール４２によって前記第７移送モジュール６０に移送される。前記第７移送モジュール６０に移送された媒体は、最終的に前記回収モジュール７０に保管される。
【０１７２】
図６は、図１の金融機器において媒体の回収過程を示す図である。
【０１７３】
図１及び図６に示すように、図示されない係員用インタフェースまたはユーザインタフェース１６を介して媒体回収命令が入力されると、前記多数の媒体保管モジュール５１〜５４の一つ以上の媒体保管モジュールに集積された媒体が引出され前記第４移送モジュール４１に移送される。前記第４移送モジュール４１に移送された回収のための媒体は、前記第１移送モジュール３１を通って前記鑑別モジュール２５を通ることになる。
【０１７４】
前記鑑別モジュール２５を通った回収のための媒体のうち正常媒体と判断された媒体は、前記第２移送モジュール３３及び第３移送モジュール３７によって第６移送モジュール４３に移送され、最終的に前記付加機能モジュール３０に保管される。
【０１７５】
反面、前記鑑別モジュール２５を再度通った回収のための媒体のうち前記付加機能モジュール３０への保管が不適切と判断された媒体は、前記第２移送モジュール３３、第３移送モジュール３７及び前記第５移送モジュール４２によって前記第７移送モジュール６０に移送される。前記第７移送モジュール６０に移送された媒体は、最終的に前記回収モジュール７０に保管される。
【０１７６】
図７は、図１の金融機器の受取っていない媒体の回収過程を示す図である。
【０１７７】
図７に示すように、前記媒体入出モジュール２０に放出された媒体を顧客が受取っていない場合、受取っていない媒体は、前記第１経路２１を通った後前記第１移送モジュール３１によって前記鑑別モジュール２５に移送される。前記鑑別モジュール２５を通った受取っていない媒体は、第２移送モジュール３３及び第３移送モジュール３７によって前記第６移送モジュール４３に移送され、最終的に前記第６移送モジュール４３に備えられる回収部４７に移送される。
【０１７８】
第１形態の金融機器によれば、媒体の補充及び/または回収のための付加機能モジュールが金融機器の最後方に位置される。また、前記付加機能モジュールが金融機器の上側部に位置される。よって、係員または管理者などはドアを開放させ前記付加機能モジュールに簡単に接近することができる。
【０１７９】
図８は、図１の金融機器が第２形態に変更された様子を示す図である。
【０１８０】
図８に示すように、第２形態の金融機器２は、第２形態の媒体処理装置１０ａを含む。
【０１８１】
第２形態の媒体処理装置１０ａは、第１形態の媒体処理装置１０を構成するモジュールのうち少なくとも媒体入出モジュール２０、第１移送モジュール３１、鑑別モジュール２５、第２移送モジュール３３、第３移送モジュール３７、第４移送モジュール４１及び一時保管モジュール２７を共通的に含むことができる。
【０１８２】
前記媒体処理装置１０ａは、媒体保管部５０ａと回収モジュール７０をさらに含むことができる。
【０１８３】
このとき、前記回収モジュール７０は、図１に開示された回収モジュール７０と同一または異なるようにすることがでｋる。図８の回収モジュール７０が図１の回収モジュール７０と同一である場合、前記回収モジュール７０は外形を形成するボックスを含むことができ、前記ボックスの側面及び上面のそれぞれに媒体を通過させるための媒体開口が備えられる。
【０１８４】
反面、図８の回収モジュール７０と図１の回収モジュール７０が異なる場合、図８の回収モジュール７０は、媒体開口がボックスの上側に位置され、図１の回収モジュール７０は、媒体開口がボックスの側面に位置される。
【０１８５】
前記媒体保管部５０ａは、多数の媒体保管モジュール５１〜５３を含むことができる。
【０１８６】
図８に開示された第２形態の金融機器は、図１に開示された第１形態の金融機器の大きさ及び/または一部モジュールを減らした形態を有することができる。このとき、前記第２形態の金融機器は、前記第１形態の金融機器を小型化するために、第１形態のモジュールのうち一部モジュールが除去された形態を有することができる。
【０１８７】
従って、図１に開示された媒体保管部５０を構成する媒体保管モジュール５１〜５４の個数より、図８に開示された媒体保管部５０ａを構成する媒体保管モジュール５１〜５３の個数は少ない。
【０１８８】
第２形態の媒体処理装置１０ａの場合、前記第３移送モジュール３７が媒体を直接前記第４移送モジュール４１に移送することができる。
【０１８９】
すなわち、第２形態の金融機器は、第１形態の金融機器から第５移送モジュール〜第７移送モジュールと、付加機能モジュールが除去された形態を有することができる。
【０１９０】
従って、本明細書で、媒体入出モジュール２０、第１移送モジュール３１、鑑別モジュール２５、第２移送モジュール３３、第３移送モジュール３７、第４移送モジュール４１及び一時保管モジュール２７、一つ以上の媒体保管モジュールは、形態によらず顧客用金融機器を構成する共通モジュールからなることができる。
【０１９１】
図９は、図８の金融機器の１次入金過程を示す図であり、図１０は、図８の金融機器の２次入金過程を示す図である。
【０１９２】
図９及び図１０に示すように、入金取引のために、媒体が媒体入出モジュール２０の媒体収納空間に投入される。
【０１９３】
前記媒体収納空間に投入された媒体は、媒体分離装置によって一枚ずつ分離される。一枚ずつ分離された媒体は、前記第１移送モジュール３１に移送される。前記第１移送モジュール３１は入金のための媒体を前記鑑別モジュール２５に移送する。
【０１９４】
前記鑑別モジュール２５で正常媒体と判断された媒体は、前記第２移送モジュール３３及び前記第３移送モジュール３７によって前記一時保管モジュール２７に移送される。
【０１９５】
反面、前記鑑別モジュール２５にて不良媒体と判断された媒体または前記鑑別モジュール２５で認識されていない媒体は、前記第２移送モジュール３３及び前記第３移送モジュール３７によって前記媒体入出モジュール２０に返還される。
【０１９６】
１次入金過程が完了すると、鑑別が完了し前記一時保管モジュール２７に保管された媒体の情報(例えば、金額、券種、枚数などのうち一つ以上)が前記ユーザインタフェース１６に表示される。
【０１９７】
そして、前記ユーザインタフェース１６を介して、前記一時集積モジュール２７に集積された媒体に対する入金確認命令または入金取消命令が入力される。
【０１９８】
ユーザインタフェース１６を介して入金確認命令が入力されると、前記一時保管モジュール２７に保管された媒体は、媒体分離装置(図示されない)によって分離される。前記媒体分離装置によって分離された媒体は、前記第２移送モジュール３３に移送される。前記第２移送モジュール３３に移送された媒体は、前記媒体入出モジュール２０が形成する第３経路２３に移送される。前記第３経路２３に移送された媒体は、前記第１移送モジュール３１を通って前記鑑別モジュール２５を再度通る。
【０１９９】
前記鑑別モジュール２５を再度通った媒体は、前記第２移送モジュール３３、前記第３移送モジュール３７を通って前記第４移送モジュール４１に移送される。
【０２００】
前記鑑別モジュール２５を再度通った媒体のうち正常媒体と判断された媒体は、前記第４移送モジュール４１によって最終的に前記媒体保管部５０ａに引入される。
【０２０１】
反面、前記鑑別モジュール２５を再度通った媒体のうち媒体保管部への保管が不適切と判断された媒体は、前記第４移送モジュール４１によって前記回収モジュール７０に移送される。
【０２０２】
一方、ユーザインタフェース１６を介して入金取消命令が入力されると、前記一時保管モジュール２７に保管された媒体は、媒体分離装置(図示されない)によって分離される。前記媒体分離装置によって分離された媒体は、前記第２移送モジュール３３を通って前記媒体入出モジュール２０に移送される。
【０２０３】
図１１は、図８の金融機器の出金過程を示す図である。
【０２０４】
図１１に示すように、ユーザインタフェース１６を介して媒体の出金命令が受信されると、前記媒体保管部５０ａから受信された出金金額に対応する券種及び枚数の媒体が引出される。前記媒体保管部５０ａから引出された媒体は、前記第４移送モジュール４１に沿って移送された後、前記第１移送モジュール３１を通って前記鑑別モジュール２５を通ることになる。
【０２０５】
前記鑑別モジュール２５を通った媒体のうち正常媒体と判断された媒体は、前記第２移送モジュール３３、第３移送モジュール３７によって前記媒体入出モジュール２０に放出される。
【０２０６】
反面、前記鑑別モジュール２５を通った媒体のうち不良媒体と判断されたり前記鑑別モジュール２５で認識されていない媒体は、前記第２移送モジュール３３、第３移送モジュール３７を通って前記第４移送モジュール４１に移送され、最終的に前記回収モジュール７０に移送される。
【０２０７】
図１２は、図１の金融機器が第３形態に変更された様子を示す図である。
【０２０８】
図１２に示すように、第３形態の金融機器３は第３形態の媒体処理装置１０ｂを含む。
【０２０９】
第３形態の媒体処理装置１０ｂは、共通モジュールである媒体入出モジュール２０、第１移送モジュール３１、鑑別モジュール２５、第２移送モジュール３３、第３移送モジュール３７、第４移送モジュール４１及び一時保管モジュール２７を含むことができる。
【０２１０】
また、前記媒体処理装置１０ｂは、媒体保管部５０ｂと多数の回収モジュール７１〜７３をさらに含むことができる。
【０２１１】
前記媒体保管部５０ｂを構成する媒体保管モジュール５１〜５５の個数は、図１に開示された媒体保管部５０を構成する媒体保管モジュール５１〜５４の個数より多い。
【０２１２】
従って、第３形態の金融機器は、第１形態の金融機器より多い券種の媒体を処理することができる。
【０２１３】
前記媒体処理装置１０ｂは、前記第３移送モジュール３７から移送された媒体を前記第４移送モジュール４１に伝達できる第８移送モジュール４８をさらに含むことができる。
【０２１４】
前記多数の回収モジュール７１〜７３は、第１回収モジュール７１、第２回数モジュール７２及び第３回収モジュール７３を含むことができる。
【０２１５】
前記第１回収モジュール７１及び第２回数モジュール７２のいずれか一つには出金取引過程で受取っていない媒体が移送され、他の一つには入金過程で返還されたが受取っていない媒体が移送される。または、単一の回収モジュールに受取っていない媒体が保管されるようにすることもできる。または、単一の回収モジュールに多数の回収空間を区分して形成することができる。または、受取っていない媒体を回収する回数が複数回である場合、それぞれの受取っていない媒体を区分して保管することもできる。
【０２１６】
これとは違い、前記金融機器３で処理すべき媒体の種類が多い場合や前記媒体保管部５０ｂの媒体保管モジュール５１〜５５が不足する場合には、追加的媒体保管モジュールとして使用することができる。このとき、第９移送モジュール４９は、前記第１回収モジュール７１及び前記第２回数モジュール７２のうち少なくとも一つのモジュールが還流モジュールである場合、双方向返送が可能に備えられ、前記第１回収モジュール７１及び前記第２回数モジュール７２が、媒体分離機能がなく集積のみが可能なモジュールである場合には、一方向返送が可能に備えられる。
【０２１７】
前記第３回収モジュール７３には、前記鑑別モジュール２５によって不良媒体と判断された媒体または前記鑑別モジュール２５で認識されていない媒体が保管される。
【０２１８】
前記媒体処理装置１０ｂは、受取っていない媒体を前記第１回収モジュール７１及び第２回数モジュール７２に移送させるための第９移送モジュール４９をさらに含むことができる。
【０２１９】
前記第９移送モジュール４９は、前記第８移送モジュール４８の上方に位置され、前記一時保管モジュール２７の後方に位置され、前記第８移送モジュール４８の少なくとも一部と上下方向に重なるように配置される。
【０２２０】
前記第９移送モジュール４９は、前記一時保管モジュール２７と前記第１回収モジュール７１との間に位置される。
【０２２１】
また、前記第９移送モジュール４９は、前記第３移送モジュール３７と前記第２回数モジュール７２との間に位置される。
【０２２２】
前記第８移送モジュール４８は、前記第２回数モジュール７２の下方に位置され、前記第３回収モジュール７３の上方に位置される。すなわち、前記第１回収モジュール７１または第２回数モジュール７２と前記第３回収モジュール７３との間に、前記第８移送モジュール４８の少なくとも一部が配置される。
【０２２３】
また、前記第８移送モジュール４８は、一つ以上の媒体保管モジュール５５と上下方向に重なるように配置される。また、前記第８移送モジュール４８は、前記第３回収モジュール７３の少なくとも一部と上下方向に重なるように配置される。
【０２２４】
前記第９移送モジュール４９は、共通経路４９ａと、前記共通経路４９ａから分岐される第１分岐経路４９ｂ及び第２分岐経路４９ｃを含むことができる。
【０２２５】
前記第１分岐経路４９ｂは前記第１回収モジュール７１と連結され、前記第２分岐経路４９ｃは前記第２回数モジュール７２と連結される。
【０２２６】
図１３は、図１２の金融機器の１次入金過程を示す図であり、図１４は、図１２の金融機器の２次入金過程を示す図である。
【０２２７】
図１３及び図１４に示すように、入金取引のために、媒体が媒体入出モジュール２０の媒体貯蔵空間に投入される。
【０２２８】
前記媒体貯蔵空間に投入された媒体は、媒体分離装置によって一枚ずつ分離される。一枚ずつ分離された媒体は、前記第１移送モジュール３１に移送される。前記第１移送モジュール３１は入金のための媒体を前記鑑別モジュール２５に移送する。
【０２２９】
前記鑑別モジュール２５で正常媒体と判断された媒体は、前記第２移送モジュール３３及び前記第３移送モジュール３７によって前記一時保管モジュール２７に移送される。
【０２３０】
反面、前記鑑別モジュール２５にて不良媒体と判断された媒体または前記鑑別モジュール２５で認識されていない媒体は、前記第２移送モジュール３３及び前記第３移送モジュール３７によって前記媒体入出モジュール２０に移送される。
【０２３１】
１次入金過程が完了すると、鑑別が完了し前記一時保管モジュール２７に集積された媒体の情報が前記ユーザインタフェース１６に表示される。
【０２３２】
そして、前記ユーザインタフェース１６を介して、前記一時保管モジュール２７に集積された媒体に対する入金確認命令または入金取消命令が入力される。
【０２３３】
ユーザインタフェース１６を介して入金確認命令が入力されると、前記一時保管モジュール２７に集積された媒体は、媒体分離装置(図示されない)によって分離される。前記媒体分離装置によって分離された媒体は、前記第２移送モジュール３３に移送される。前記第２移送モジュール３３に移送された媒体は、前記媒体入出モジュール２０が形成する第３経路２３に移送される。前記第３経路２３に移送された媒体は、前記第１移送モジュール３１を通って前記鑑別モジュール２５を再度通る。
【０２３４】
前記鑑別モジュール２５を再度通った媒体は、前記第２移送モジュール３３、前記第３移送モジュール３７を通って前記第８移送モジュール４８に移送される。
【０２３５】
前記鑑別モジュール２５を再度通った媒体のうち正常媒体と判断された媒体は、媒体の券種によって、前記第８移送モジュール４８によって第５媒体保管モジュール５５に直接移送されるか、または、前記第８移送モジュール４８によって前記第４移送モジュール４１に移送された後第１〜第４媒体保管モジュール５１〜５４のいずれか一つのモジュールに移送される。
【０２３６】
反面、前記鑑別モジュール２５を再度通った媒体のうち媒体保管部への保管が不適切と判断された媒体は、前記第８移送モジュール４８によって前記第３回収モジュール７３に移送される。
【０２３７】
一方、ユーザインタフェース１６を介して入金取消命令が受信されると、前記一時保管モジュール２７に集積された媒体は、媒体分離装置(図示されない)によって分離される。前記媒体分離装置によって分離された媒体は、前記第２移送モジュール３３を通って前記媒体入出モジュール２０に移送される。
【０２３８】
図１５は、図１２の金融機器の出金過程を示す図である。
【０２３９】
図１５に示すように、ユーザインタフェース１６を介して媒体の出金命令が入力されると、前記媒体保管部５０ｂから受信された出金金額に対応する券種及び枚数の媒体が引出される。前記媒体保管部５０ｂから引出された媒体のうち第５媒体保管モジュール５５から引出された媒体は、前記第８移送モジュール４８を通って前記第４移送モジュール４１に移送される。
【０２４０】
前記媒体保管部５０ｂから引出された媒体のうち第１〜第４媒体保管モジュール５５の一つ以上から引出された媒体は、前記第４移送モジュール４１に直接移送される。
【０２４１】
前記第４移送モジュール４１に移送された媒体は、前記第１移送モジュール３１を通って前記鑑別モジュール２５を通ることになる。
【０２４２】
前記鑑別モジュール２５を通った媒体のうち正常媒体と判断された媒体は、前記第２移送モジュール３３、第３移送モジュール３７によって前記媒体入出モジュール２０に放出される。
【０２４３】
反面、前記鑑別モジュール２５を通った媒体のうち不良媒体と判断されたり前記鑑別モジュール２５で認識されていない媒体は、前記第２移送モジュール３３、第３移送モジュール３７を通って前記第８移送モジュール４８に移送され、最終的に前記第３回収モジュール７０に移送される。
【０２４４】
図１６は、図１２の金融機器において受取っていない媒体の回収過程を示す図である。
【０２４５】
図１６に示すように、前記媒体入出モジュール２０に放出された媒体を顧客が受取っていない場合、受取っていない媒体は、前記第１移送モジュール３１によって前記鑑別モジュール２５に移送される。前記鑑別モジュール２５を通った受取っていない媒体は、第２移送モジュール３３及び第３移送モジュール３７によって前記第９移送モジュール４９に移送され、最終的に受取っていない媒体の種類によって、前記第１回収モジュール７１または第２回数モジュール７２に移送される。
【０２４６】
図１７は、図１の金融機器が第４形態に変更された様子を示す図である。
【０２４７】
図１７に示すように、第４形態の金融機器４は第４形態の媒体処理装置１０ｃを含む。
【０２４８】
第４形態の媒体処理装置１０ｃは、共通モジュールである媒体入出モジュール２０、第１移送モジュール３１、鑑別モジュール２５、第２移送モジュール３３、第３移送モジュール３７、第４移送モジュール４１及び一時保管モジュール２７を含むことができる。
【０２４９】
また、前記媒体処理装置１０ｃは、媒体保管部５０ｃと一つ以上の回収モジュールをさらに含むことができる。
【０２５０】
前記媒体保管部５０ｃを構成する媒体保管モジュール５１〜５３の個数は、図１に開示された媒体保管部５０を構成する媒体保管モジュール５１〜５４の個数より少ない。
【０２５１】
前記媒体処理装置１０ｃは、前記第３移送モジュール３７から移送された媒体を前記第４移送モジュール４１に伝達できる第１０移送モジュール８１をさらに含むことができる。
【０２５２】
前記一つ以上の回収モジュールは、制限的ではないが、第１回収モジュール７４、第２回数モジュール７５及び第３回収モジュール７６を含むことができる。
【０２５３】
前記第１回収モジュール７４と前記第２回数モジュール７５は上下方向に配列される。そして、前記第１回収モジュール７４と前記第２回数モジュール７５のそれぞれは、前記第３回収モジュール７６と水平方向に配列される。
【０２５４】
前記媒体処理装置１０ｃは、補充のための媒体及び回収された媒体の一つ以上の媒体を集積する付加機能モジュール７７をさらに含むことができる。
【０２５５】
前記付加機能モジュール７７は、前記第３回収モジュール７６と水平方向に配列される。
【０２５６】
前記第１０移送モジュール８１は、一つ以上の回収モジュール７６と前記付加機能モジュール７７の上方に位置され、一つ以上の回収モジュール７６と前記付加機能モジュール７７のそれぞれの少なくとも一部と上下方向に重なるように配置される。
【０２５７】
前記第１０移送モジュール８１は、前記第３移送モジュール３７から移送された媒体を前記付加機能モジュール７７に直接移または前記付加機能モジュール７７から移送された媒体を前記第３移送モジュール３７に直接移送させることができる。
【０２５８】
多数の回収モジュール７４〜７６のいずれか一つには出金取引過程で受取っていない媒体が保管され、他の一つには入金過程で返還されたが受取っていない媒体が保管され、また他の一つには不良媒体と判断された媒体または鑑別モジュール２５で認識されていない媒体が保管される。または、第３形態の金融機器で説明した回収モジュールと同じように、追加的媒体保管モジュールとして使用することができる。
【０２５９】
図１８は、図１７の金融機器の１次入金過程を示す図であり、図１９は、図１７の金融機器の２次入金過程を示す図である。
【０２６０】
図１８及び図１９に示すように、入金取引のために、媒体が媒体入出モジュール２０の媒体貯蔵空間に投入される。
【０２６１】
前記媒体貯蔵空間に投入された媒体は、媒体分離装置によって一枚ずつ分離される。一枚ずつ分離された媒体は、前記第１移送モジュール３１に移送される。前記第１移送モジュール３１は入金のための媒体を前記鑑別モジュール２５に移送する。
【０２６２】
前記鑑別モジュール２５で正常媒体と判断された媒体は、前記第２移送モジュール３３及び前記第３移送モジュール３７によって前記一時保管モジュール２７に移送される。
【０２６３】
反面、前記鑑別モジュール２５にて不良媒体と判断された媒体または前記鑑別モジュール２５で認識されていない媒体は、前記第２移送モジュール３３及び前記第３移送モジュール３７によって前記媒体入出モジュール２０に移送される。
【０２６４】
１次入金過程が完了すると、前記ユーザインタフェース１６に、鑑別が完了し前記一時保管モジュール２７に集積された媒体の情報が表示される。
【０２６５】
そして、前記ユーザインタフェース１６を介して、前記一時集積モジュール２７に集積された媒体に対する入金確認命令または入金取消命令が入力される。
【０２６６】
ユーザインタフェース１６を介して入金確認命令が入力されると、前記一時保管モジュール２７に集積された媒体は、媒体分離装置(図示されない)によって分離される。前記媒体分離装置によって分離された媒体は、前記第２移送モジュール３３に移送される。前記第２移送モジュール３３に移送された媒体は、前記媒体入出モジュール２０が形成する第３経路２３に移送される。前記第３経路２３に移送された媒体は、前記第１移送モジュール３１を通って前記鑑別モジュール２５を再度通る。
【０２６７】
前記鑑別モジュール２５を通った媒体は、前記第２移送モジュール３３、前記第３移送モジュール３７を通って前記第１０移送モジュール８１に移送される。
【０２６８】
前記鑑別モジュール２５を再度通った媒体のうち正常媒体と判断された媒体は、前記第１０移送モジュール８１から前記第４移送モジュール４１に移送された後第１〜第３媒体保管モジュール５１〜５３のいずれか一つのモジュールに移送される。
【０２６９】
反面、前記鑑別モジュール２５を再度通った媒体のうち媒体保管部への保管が不適切と判断された媒体は、前記第１０移送モジュール８１によって前記第３回収モジュール７６に移送されるか、または、前記第１０移送モジュール８１から前記第４移送モジュール４１に移送された後前記第１回収モジュール７４または第２回数モジュール７５に移送される。
【０２７０】
一方、ユーザインタフェース１６を介して入金取消命令が入力されると、前記一時保管モジュール２７に集積された媒体は、媒体分離装置(図示されない)によって分離される。前記媒体分離装置によって分離された媒体は、前記第２移送モジュール３３を通って前記媒体入出モジュール２０に移送される。
【０２７１】
図２０は、図１７の金融機器の出金過程を示す図である。
【０２７２】
図２０に示すように、ユーザインタフェース１６を介して媒体の出金命令が入力されると、前記媒体保管部５０ｃから受信された出金金額に対応する券種及び枚数の媒体が引出される。前記媒体保管部５０ｃから引出された媒体は、前記第４移送モジュール４１を通って前記第１移送モジュール３１に移送される。前記第１移送モジュール３１に移送された媒体は、前記鑑別モジュール２５を通ることになる。
【０２７３】
前記鑑別モジュール２５を通った媒体のうち正常媒体と判断された媒体は、前記第２移送モジュール３３、第３移送モジュール３７によって前記媒体入出モジュール２０に放出される。
【０２７４】
反面、前記鑑別モジュール２５を通った媒体のうち不良媒体と判断されたり前記鑑別モジュール２５で認識されていない媒体は、前記第２移送モジュール３３、第３移送モジュール３７を通って前記第１０移送モジュール８１に移送される。そして、前記第１０移送モジュール８１に移送された媒体の種類によって、前記第３回収モジュール７６に直接移送されるか、または、前記第４移送モジュール４１を通って前記第１回収モジュール７４または第２回数モジュール７５に移送される。
【０２７５】
図２１は、図１７の金融機器において媒体の補充過程を示す図である。
【０２７６】
図２１に示すように、図示されない係員用インタフェースまたはユーザインタフェースを介して媒体補充命令が入力されると、前記付加機能モジュール７７に集積された媒体が前記付加機能モジュール７７から引出される。
【０２７７】
前記付加機能モジュール７７の媒体は、前記第１０移送モジュール８１に移送される。前記第１０移送モジュール８１に移送された補充のための媒体は、前記第３移送モジュール３７を通って前記第２移送モジュール３３に移送される。前記第２移送モジュール３３に移送された媒体は、前記媒体入出モジュール２３が形成する第３経路２３を通る。前記媒体入出モジュール２０を通った補充のための媒体は、前記第１移送モジュール３１によって前記鑑別モジュール２５を通る。
【０２７８】
前記鑑別モジュール２５を通った補充のための媒体は、前記第２移送モジュール３３及び前記第３移送モジュール３７を通って前記第１０移送モジュール８１に移送される。
【０２７９】
前記鑑別モジュール２５を通った補充のための媒体のうち正常媒体と判断された媒体は、前記第１０移送モジュール８１によって前記第４移送モジュール４１に移送される。そして、前記第４移送モジュール４１に移送された媒体は、最終的に前記媒体保管部５０ｃに引入される。
【０２８０】
反面、前記鑑別モジュール２５を再度通った補充のための媒体のうち前記媒体保管部への保管が不適切と判断された媒体は、前記第１０移送モジュール８１によって前記第３回収モジュール７６に直接移送されるか、または、前記第４移送モジュール４１に移送された後前記第１回収モジュール７４または第２回数モジュール７５に移送される。
【０２８１】
図２２は、図１７の金融機器において媒体の回収過程を示す図である。
【０２８２】
図２２に示すように、図示されない係員用インタフェースまたはユーザインタフェースを介して媒体回収命令が入力されると、前記多数の媒体保管モジュール５１〜５３の一つ以上の媒体保管モジュールに集積された媒体が引出され前記第４移送モジュール４１に移送される。前記第４移送モジュール４１に移送された回収のための媒体は、前記第１移送モジュール３１を通って前記鑑別モジュール２５を通ることになる。
【０２８３】
前記鑑別モジュール２５を通った回収のための媒体のうち正常媒体と判断された媒体は、前記第２移送モジュール３３及び第３移送モジュール３７によって第１０移送モジュール８１に移送され、最終的に前記付加機能モジュール７７に移送される。
【０２８４】
反面、前記鑑別モジュール２５を再度通った回収のための媒体のうち前記付加機能モジュール７７への保管が不適切と判断された媒体は、前記第１０移送モジュール８１によって前記第３回収モジュール７６に直接移送されるか、または、前記第４移送モジュール４１に移送された後前記第１回収モジュール７４または第２回数モジュール７５に移送される。
【０２８５】
第４形態の媒体処理装置で、第１回収モジュールと第２回数モジュールが区分された別途のモジュールであると説明したが、これとは違い一つの回収モジュールに統合することができる。または、単一の回収モジュールに多数の回収空間を区分して形成することができる。
【０２８６】
図２３は、図１７の金融機器において受取っていない媒体の回収過程を示す図である。
【０２８７】
図２３に示すように、前記媒体入出モジュール２０に放出された媒体を顧客が受取っていない場合、受取っていない媒体は、前記第１移送モジュール３１によって前記鑑別モジュール２５に移送される。前記鑑別モジュール２５を通った受取っていない媒体は、第２移送モジュール３３及び第３移送モジュール３７によって前記第１０移送モジュール８１に移送される。
【０２８８】
前記第１０移送モジュール８１に移送された媒体は、前記第３回収モジュール７６に直接移送されるか、または、前記第４移送モジュール４１に移送された後前記第１回収モジュール７４または第２回数モジュール７５に移送される。
【０２８９】
第４形態の金融機器によれば、媒体の補充及び/または回収のための付加機能モジュールが金融機器の最後方に位置される。よって、係員または管理者などはドアを開放させ前記付加機能モジュールに簡単に接近することができる。
【０２９０】
また、媒体保管部５０ｃは金庫内に収容され、付加機能モジュールが金庫内に配置されるので、付加機能モジュールに対するセキュリティ性が向上される。
【０２９１】
図２４は、図１の金融機器が第５形態に変更された様子を示す図である。
【０２９２】
図２４に示すように、第５形態の金融機器５は第５形態の媒体処理装置１０ｄを含む。
【０２９３】
第５形態の金融機器は、第１形態の顧客用金融機器が変形された係員用金融機器からなることができる。
【０２９４】
第５形態の媒体処理装置１０ｄは、共通モジュールのうち媒体入出モジュール２０、第１移送モジュール３１、鑑別モジュール２５、第２移送モジュール３３、第４移送モジュール４１を含むことができる。
【０２９５】
また、前記媒体処理装置１０ｄは、媒体保管部５０ｄと一時保管モジュール７８をさらに含むことができる。このとき、前記金融機器５の一時保管モジュール７８は、第１形態の一時保管モジュール２７と同一なモジュールからなるこおができ、または、第１形態の一時保管モジュール２７の引入経路及び引出経路のうち少なくとも一つの経路が異なるように形成される。例えば、第１形態の一時保管モジュール２７は、引入及び引出経路入口が全部下方に位置するように設計され、第５形態の一時集積モジュール７８は、引入及び引出経路のうち少なくとも一つの経路入口が、他の一つの経路入口とは異なる面に形成される。
【０２９６】
これとは違い、前記媒体入出モジュール２０が一時保管モジュールの機能を一緒に行うように備えられる場合には、前記一時保管モジュール７８は省略することができる。
【０２９７】
前記媒体処理装置１０ｄは、前記第１１移送モジュール８２、第１２移送モジュール８３及び第１４移送モジュール８４をさらに含むことができる。
【０２９８】
前記第１１移送モジュール８２は前記第２移送モジュール３３の後方に位置され、前記第１３移送モジュール８４は前記第１１移送モジュール８２の後方に位置され、前記一時集積モジュール７８は前記第１３移送モジュール８４の後方に位置される。
【０２９９】
前記第１１移送モジュール８２は、前記第４移送モジュール４１の上方に位置され、前記第４移送モジュール４１の少なくとも一部と上下方向に重なるように配置される。
【０３００】
前記第１２移送モジュール８３は、前記第１３移送モジュール８４及び前記一時集積モジュール７８の下方に位置される。
【０３０１】
前記第１３移送モジュール８４及び前記一時保管モジュール７８のそれぞれの少なくとも一部は、前記第１２移送モジュール８３と上下方向に重なるように配置される。
【０３０２】
前記媒体処理装置１０ｄは、不良媒体と判断された媒体、鑑別モジュールで認識されていない媒体などを回収するための回収モジュール８６と、前記第１２移送モジュール８３によって移送された媒体を前記回収モジュール８６に案内する第１４移送モジュール８５をさらに含むことができる。
【０３０３】
前記第１４移送モジュール８５及び前記回収モジュール８６は、前記第１２移送モジュール８３の下方に位置され、前記第１４移送モジュール８５及び前記回収モジュール８６のそれぞれの少なくとも一部は、前記第１２移送モジュール８３と上下方向に重なるように配置される。
【０３０４】
また、前記第１４移送モジュール８５及び前記回収モジュール８６は、多数の媒体保管モジュール５１〜５４と水平方向に配列される。
【０３０５】
図２５は、図２４の金融機器の１次入金過程を示す図であり、図２６は、図２４の金融機器の２次入金過程を示す図である。
【０３０６】
図２５及び図２６に示すように、入金取引のために、媒体が媒体入出モジュール２０の媒体収納空間に投入される。
【０３０７】
前記媒体収納空間に投入された媒体は、媒体分離装置によって一枚ずつ分離される。一枚ずつ分離された媒体は、前記第１移送モジュール３１に移送される。前記第１移送モジュール３１は入金のための媒体を前記鑑別モジュール２５に案内する。
【０３０８】
前記鑑別モジュール２５で正常媒体と判断された媒体は、前記第２移送モジュール３３、第１１移送モジュール８２、第１２移送モジュール８３によって前記一時保管モジュール７８に移送される。
【０３０９】
反面、前記鑑別モジュール２５にて不良媒体と判断された媒体または前記鑑別モジュール２５で認識されていない媒体は、前記第２移送モジュール３３及び前記第１１移送モジュール８２によって前記媒体入出モジュール２０に移送される。
【０３１０】
１次入金過程が完了すると、鑑別が完了し前記一時保管モジュール７８に集積された媒体の情報が前記ユーザインタフェース１６に表示される。
【０３１１】
そして、前記ユーザインタフェース１６を介して、前記一時集積モジュール７８に集積された媒体に対する入金確認命令または入金取消命令が入力される。
【０３１２】
ユーザインタフェース１６を介して入金確認命令が入力されると、前記一時保管モジュール７８に集積された媒体は、媒体分離装置(図示されない)によって分離される。前記媒体分離装置によって分離された媒体は、前記第１３移送モジュール８４及び第１１移送モジュール８２によって前記第２移送モジュール３３に移送される。前記第２移送モジュール３３に移送された媒体は、前記媒体入出モジュール２０が形成する第３経路２３に移送される。前記第３経路２３に移送された媒体は、前記第１移送モジュール３１を通って前記鑑別モジュール２５を再度通る。
【０３１３】
前記鑑別モジュール２５を通った媒体は、前記第２移送モジュール３３、前記第１１移送モジュール８２を通って前記第１２移送モジュール８３に移送される。
【０３１４】
前記鑑別モジュール２５を再度通った媒体のうち正常媒体と判断された媒体は、前記第１２移送モジュール８３から前記第４移送モジュール４１に移送された後に第１〜第４媒体保管モジュール５１〜５４のいずれか一つのモジュールに移送される。
【０３１５】
反面、前記鑑別モジュール２５を再度通った媒体のうち媒体保管部への保管が不適切と判断された媒体は、前記第１２移送モジュール８３から前記第１４移送モジュール８５に移送された後、最終的に前記回収モジュール８６に移送される。
【０３１６】
一方、ユーザインタフェース１６を介して入金取消命令が入力されると、前記一時集積モジュール７８に集積された媒体は、媒体分離装置(図示されない)によって分離される。前記媒体分離装置によって分離された媒体は、前記第１３移送モジュール８４、第１１移送モジュール８２及び第２移送モジュール３３を通って前記媒体入出モジュール２０に移送される。
【０３１７】
図２７は、図２４の金融機器の出金過程を示す図である。
【０３１８】
図２７に示すように、ユーザインタフェース１６を介して媒体の出金命令が入力されると、前記媒体保管部５０ｄから受信された出金金額に対応する券種及び枚数の媒体が引出される。前記媒体保管部５０ｄから引出された媒体は、前記第４移送モジュール４１を通って前記第１移送モジュール３１に移送される。前記第１移送モジュール３１に移送された媒体は、前記鑑別モジュール２５を通ることになる。
【０３１９】
前記鑑別モジュール２５を通った媒体のうち正常媒体と判断された媒体は、前記第２移送モジュール３３、第１１移送モジュール８２によって前記媒体入出モジュール２０に放出される。
【０３２０】
反面、前記鑑別モジュール２５を通った媒体のうち不良媒体と判断されたり前記鑑別モジュール２５で認識されていない媒体は、前記第２移送モジュール３３、第１１移送モジュール８２、第１２移送モジュール８３、第１４移送モジュール８５を通って回収モジュール８６に移送される。
【０３２１】
図２８は、図２４の金融機器において媒体の係数過程を示す図である。
【０３２２】
図２８に示すように、媒体入出モジュール２０の媒体貯蔵空間のうち第１空間に媒体が投入される。
【０３２３】
前記第１空間に投入された媒体は、前記第１移送モジュール３１によって前記鑑別モジュール２５に移送される。
【０３２４】
前記鑑別モジュール２５を通過した媒体は、前記第２移送モジュール３３及び前記第１１移送モジュール８２によって前記媒体入出モジュール２０の媒体貯蔵空間のうち第２空間に移送される。
【０３２５】
このとき、図２４の媒体の流れは、前記金融機器５から前記一時保管モジュール７８が省略された場合、１次入金経路と同一であり、前記鑑別モジュール２５を通過した媒体のうち不良媒体と判断されたり前記鑑別モジュール２５で認識されていない媒体は、前記第２空間とは異なる第３空間に移送される。
【０３２６】
図２４〜図２８で、「第１１〜第１４」は、第１形態〜第４形態の金融機器の移送モジュールと区分するためのものとして、第５形態の金融機器を基準に見る場合、第１１移送モジュール８２は第３移送モジュールとして作用し、第１２移送モジュール８３は第５移送モジュールとして作用し、第１３移送モジュール８４は第６移送モジュールとして作用し、第１４移送モジュールは第７移送モジュール８５として作用すると理解することができる。
【０３２７】
本明細書によれば、金融機器の形態が変更されても、形態変更と関係なく共通モジュールを使用することができるので、モジュールの互換性が向上する。
【０３２８】
よって、金融機器の形態別にモジュールを新たに設計及び製造しなくてもよいので、製造コストを減らすことができる。
【０３２９】
上記実施例では、第２移送モジュールと第３移送モジュールが別途のモジュールであると説明したが、これとは違い単一のモジュールであってもよい。
【０３３０】
従って、前記第２移送モジュールと前記第３移送モジュールを通称して第１連結モジュールと称することができる。そして、前記第４移送モジュールを媒体保管部と連結される第２連結モジュールと称することができる。
【０３３１】
また、前記第１連結モジュールと前記第２連結モジュールのうち金融機器の形態によらず共通的に使用できるモジュールを共通移送モジュールと称することができる。
【０３３２】
制限的ではないが、前記共通移送モジュールは、第１移送モジュール、第２移送モジュール及び第４移送モジュールを含むことができる。
【図１】
2016207218.tif 000003
【図２】
2016207218.tif 000004
【図３】
2016207218.tif 000005
【図４】
2016207218.tif 000006
【図５】
2016207218.tif 000007
【図６】
2016207218.tif 000008
【図７】
2016207218.tif 000009
【図８】
2016207218.tif 000010
【図９】
2016207218.tif 000011
【図１０】
2016207218.tif 000012
【図１１】
2016207218.tif 000013
【図１２】
2016207218.tif 000014
【図１３】
2016207218.tif 000015
【図１４】
2016207218.tif 000016
【図１５】
2016207218.tif 000017
【図１６】
2016207218.tif 000018
【図１７】
2016207218.tif 000019
【図１８】
2016207218.tif 000020
【図１９】
2016207218.tif 000021
【図２０】
2016207218.tif 000022
【図２１】
2016207218.tif 000023
【図２２】
2016207218.tif 000024
【図２３】
2016207218.tif 000025
【図２４】
2016207218.tif 000026
【図２５】
2016207218.tif 000027
【図２６】
2016207218.tif 000028
【図２７】
2016207218.tif 000029
【図２８】
2016207218.tif 000030